(57)【特許請求の範囲】
【請求項１】
ユーザーによって周期的又は特定日時のアラームが設定され、当該ユーザーによって携帯される移動通信端末機の受信待機モード状態で前記ユーザーによって一時解除メニューが呼び出されたか否かを判断する第１工程と、
前記一時解除メニューが呼び出されたときに、予め設定された周期的又は特定日時のアラームの全部又は一部を別の解除の周期又は解除の特定日で一時解除するための一時解除メニュー項目の一覧を表示する第２工程と、
前記ユーザーが、一時解除メニュー項目の一つ又は複数を選択したときに、前記アラームの設定とは別の設定として、当該選択されたメニュー項目に指定された日付のアラームを周期的又は特定日で一時解除する第３工程とを備え、
この第３工程は、前記アラームのうち、当該メニュー項目に指定された解除の特定日又は解除の周期の日付のアラームのみを一時的に解除することで、当該日付のみアラームを解除し、他の日付はアラームを解除しないことを特徴とする移動通信端末機のアラーム一時解除方法。
【請求項２】
前記一時解除メニュー項目が、日曜日解除、１・３週週末解除、２・４週週末解除、日付指定解除又は一日解除の内の一項目を含むことを特徴とする請求項１記載の移動通信端末機のアラーム一時解除方法。
【請求項３】
前記第３工程は、ユーザーによって一時解除メニュー項目から前記日付指定解除が選択された場合に、当該一時解除する日付を指定する工程を備えたことを特徴とする請求項２記載の移動通信端末機のアラーム一時解除方法。
【請求項４】
前記第３工程でユーザーが一時解除メニュー項目を選択することにより、該当メニュー項目に指定された特定の又は周期的な日付について一時解除するアラームは、予め設定された全てのアラームであることを特徴とする請求項１、２又は３のいずれか１項に記載の移動通信端末機のアラーム一時解除方法。
【請求項５】
前記第３工程は、アラームの日時の設定の際にユーザーによって一時解除が予め許可されたアラームだけを一時解除することを特徴とする請求項１、２又は３のいずれか１項に記載の移動通信端末機のアラーム一時解除方法。
【請求項６】
電話番号、文字及び表示された選択肢の特定のためにユーザーが使用するキーパッドと、このキーパッドへの操作に応じて無線通信及びアラームを制御する制御部と、この制御部による制御に応じて前記文字等を表示する表示部とを備え、ユーザーによって周期的又は特定日時のアラームが設定され、当該ユーザーによって携帯される移動通信端末機において、
前記制御部が、
前記ユーザーによる毎日等の周期的又は特定日時のアラームの設定を支援するアラーム設定手段と、
前記周期的に設定されたアラームについて、前記ユーザーの操作に応じて、当該アラームの周期とは異なる毎週末等の解除の周期又は解除の特定日のみのアラーム出力の解除の設定するための一時解除メニュー項目の一覧を前記表示部に表示する一時解除メニュー項目表示制御手段と、
前記ユーザーが、一時解除メニュー項目の一つ又は複数を選択したときに、前記アラームの設定とは別の設定として、前記ユーザーによって選択される一時解除メニュー項目に基づいて、前記アラームの一時解除を制御するメニュー項目別一時解除手段とを備え、
このメニュー項目別一時解除手段は、前記アラームのうち、当該メニュー項目に指定された解除の特定日又は解除の周期の日付のアラームのみを一時的に解除することで、当該日付のみアラームを解除し、他の日付はアラームを解除しないことを特徴とする移動通信端末機。
【請求項７】
ユーザーによって周期的又は特定日時のアラームが設定され、当該ユーザーによって携帯される移動通信端末のアラームの設定及び解除を制御するためのアラーム設定解除制御用プログラムであって、前記移動通信端末は、電話番号、文字及び表示された選択肢の特定のためにユーザーが使用するキーパッドと、このキーパッドへの操作に応じて無線通信及びアラーム出力を制御する制御部と、この制御部による制御に応じて前記文字等を表示するディスプレイとを備え、
前記アラーム設定解除制御用プログラムは、前記制御部を動作させる指令として、
前記ユーザーによる毎日等の周期的又は特定日時のアラームの設定を制御させるアラーム設定指令と、
前記周期的又は特定日時設定されたアラー除メニュー項目の一つ又は複数を選択したときに、前記アラームの設定とは別の設定として、前記ユーザーによって選択される一時解除メニュー項目に基づいて、前記アラームの一時解除を制御させるメニュー項目別一時解除指令とを備え、
このメニュー項目別一時解除指令は、前記アラームのうち、当該メニュー項目に指定された解除の特定日又は解除の周期の日付のアラームのみを一時的に解除させることで、当該日付のみアラームを解除させ、他の日付はアラームを解除させないことを特徴とするアラーム設定解除制御用プログラム。
【請求項８】
ユーザーによって周期的又は特定日時のアラームが設定され、当該ユーザーによって携帯される移動通信端末機の受信待機モード状態でユーザーによって一時解除ボタンが押されたか否かを判断する第１工程と、
ユーザーによって一時解除ボタンが押されると、予め設定された全てのアラームの内、前記ユーザーによって予め一時解除が許可されたアラームのみを一括して即時に一時解除する第２工程とを備えたことを特徴とする移動通信端末機のアラーム一時解除方法。
【請求項９】
前記第２工程に続いて、再度一時解除ボタンが押された際に、当該第２工程にて一時解除されたアラームを復帰する工程を備えたことを特徴とする請求項８記載のアラームの一時解除方法。
【請求項１０】
電話番号、文字及び表示された選択肢の特定のためにユーザーが使用するキーパッドと、このキーパッドへの操作に応じて無線通信及びアラーム出力を制御する制御部と、この制御部による制御に応じて前記文字等を表示するディスプレイとを備え、ユーザーによって周期的又は特定日時のアラームが設定され、当該ユーザーによって携帯される移動通信端末機において、
前記制御部が、
前記ユーザーによる毎日等の周期的又は特定日時のアラームの設定を支援するアラーム設定手段と、
前記アラームの設定時に、前記キーパッドを使用したアラームの一括解除操作がなされる場合に当該設定するアラームの一括解除を許可するか否かを当該アラーム毎に設定する一括解除可否設定手段と、
前記キーパッドを使用した一括解除操作があった場合に、前記一括解除可否設定手段によって一括解除が許可された全てのアラームを一括して即時に一時解除する解除許可アラーム一時解除手段と、
再度一時解除ボタンが押された際に、当該解除許可アラーム一時解除手段にて一時解除されたアラームを復帰するアラーム一括復帰制御手段とを備えたことを特徴とする移動通信端末機。
【請求項１１】
ユーザーによって周期的又は特定日時のアラームが設定され、当該ユーザーによって携帯される移動通信端末のアラームの設定及び解除を制御するためのアラーム設定解除制御用プログラムであって、前記移動通信端末は、電話番号、文字及び表示された選択肢の特定のためにユーザーが使用するキーパッドと、このキーパッドへの操作に応じて無線通信及びアラーム出力を制御する制御部と、この制御部による制御に応じて前記文字等を表示するディスプレイとを備え、
前記アラーム設定解除制御用プログラムは、前記制御部を動作させる指令として、
前記ユーザーによる毎日等の周期的又は特定日時のアラームの設定を制御させるアラーム設定指令と、
前記アラームの設定時に、前記キーパッドを使用したアラームの一括解除操作がなされる場合に当該設定するアラームの一括解除を許可するか否かを当該アラーム毎に設定する制御をさせる一括解除可否設定指令と、
前記キーパッドを使用した一括解除操作がある場合に、前記一括解除可否設定指令に応じて一括解除が許可された全てのアラームを一括して即時に一時解除させる解除許可アラーム一時解除手段と、
再度一時解除ボタンが押された際に、当該解除許可アラーム一時解除指令に応じて一時解除されたアラームを復帰させるアラーム一括復帰制御指令とを備えたことを特徴とするアラーム設定解除制御用プログラム。
【請求項１２】
電話番号、文字及び表示された選択肢の特定のためにユーザーが使用するキーパッドと、このキーパッドへの操作に応じて無線通信及びアラームを制御する制御部と、この制御部による制御に応じて前記文字等を表示する表示部とを備え、ユーザーによって周期的又は特定日時のアラームが設定され、当該ユーザーによって携帯される移動通信端末機において、
前記制御部が、
前記ユーザーによる毎日等の周期的又は特定日時のアラームの設定を支援するアラーム設定手段と、
前記アラームの設定時に、前記キーパッドを使用したアラームの一括解除操作がなされる場合に当該設定するアラームの一括解除を許可するか否かを当該アラーム毎に設定する一括解除可否設定手段と、
前記周期的又は特定日時に設定されたアラームについて、前記ユーザーの操作に応じて、当該アラームの周期とは異なる毎週末等の解除の周期又は解除の特定日のみのアラーム出力の解除の設定するための一時解除メニュー項目の一覧を前記表示部に表示する一時解除メニュー項目表示制御手段と、
前記ユーザーが一時解除メニュー項目の一つ又は複数を選択したときに、前記アラームの設定とは別の設定として、前記ユーザーによって選択される一時解除メニュー項目に基づいて、前記アラームの一時解除を制御すると共に、一時解除の対象となるアラームの選択を制御するメニュー項目別一時解除手段と、
前記ユーザーの操作に応じて前記キーパッドを使用した一括解除操作の解除内容を、一時解除設定として、解除許可アラーム解除又は全アラーム解除に設定する一時解除設定手段と、
前記キーパッドを使用した一括解除操作に応じて、前記一時解除設定が解除許可アラーム解除であるときには前記一括解除可否設定手段によって一括解除が許可されたアラームを一括して即時に一時解除する解除許可アラーム一時解除手段と、
前記キーパッドを使用した一括解除操作に応じて、前記一時解除設定が全アララームを復帰させるアラーム一括復帰制御手段とを備えたことを特徴とする移動通信端末機。
【請求項１３】
ユーザーによって周期的又は特定日時のアラームが設定され、当該ユーザーによって携帯される移動通信端末のアラームの設定及び解除を制御するためのアラーム設定解除制御用プログラムであって、前記移動通信端末は、電話番号、文字及び表示された選択肢の特定のためにユーザーが使用するキーパッドと、このキーパッドへの操作に応じて無線通信及びアラーム出力を制御する制御部と、この制御部による制御に応じて前記文字等を表示するディスプレイとを備え、
前記アラーム設定解除制御用プログラムは、前記制御部を動作させる指令として、
前記ユーザーによる毎日等の周期的又は特定日時のアラームの設定を支援するためのアラーム設定指令と、
前記アラームの設定時に、前記キーパッドを使用したアラームの一括解除操作がなされる場合に当該設定するアラームの一括解除を許可するか否かを当該アラーム毎に設定させる一括解除可否設定指令と、
前記周期的又は特定日時に設定されたアラームについて、前記ユーザーの操作に応じて一時解除メニューが呼び出された場合に、当該アラームの周期とは異なる毎週末等の解除の周期又は解除の特定日のみのアラーム出力の解除を設定するための一時解除メニュー項目の一覧を前記表示部に表示させる一時解除メニュー項目表示制御指令と、
前記ユーザーが一時解除メニュー項目の一つ又は複数を選択したときに、前記アラームの設定とは別の設定として、前記ユーザーによって選択される一時解除メニュー項目に基づいて、前記アラームの一時解除を制御すると共に、一時解除の対象となるアラームの選択を制御させるメニュー項目別一時解除指令と、
前記ユーザーの操作に応じて前記キーパッドを使用した一括解除操作の解除内容を、一時解除設定として、解除許可アラーム解除又は全アラーム解除に設定させる一時解除設定指令と、
前記キーパッドを使用した一括解除操作に応じて、前記一時解除設定が解除許可アラーム解除であるときには前記一括解除可否設定指令に応じて一括解除が許可されたアラームを一括して即時に一時解除させる解除許可アラーム一括解除指令と、
前記キーパッドを使用した一括解除操作に応じて、前記一時解除設定が全アラーム解除であるときには設定された全アラームを一括して即時に一時解除させる全アラーム一時解除指令と、
前記一括解除操作があったときに、すでに一部の又は全部のアラームが一括解除操作に応じて一時解除されていた場合には、当該一括解除操作に応じて一時解除されていたアラームを復帰させるアラーム一括復帰指令とを備えたことを特徴とするアラーム設定解除制御用プログラム。
【発明の詳細な説明】
【０００１】
【発明の属する技術分野】
本発明は、移動通信端末機で設定されたアラームを一時的に解除する方法に関し、特に、設定されたアラームを周期的に解除し、或いはユーザーのボタン操作によって所望の期間解除することが可能な移動通信端末機のアラーム一時解除方法に関する。
【０００２】
【従来の技術】
一般に、移動通信端末機は、アラーム機能を内蔵しており、ユーザーがアラームを予め所望の時間に設定しておくと、設定された時間に自動的にアラームを鳴らすようになっている。また、最近の移動通信端末機は、アラーム設定の際にアラームの時間設定だけでなくアラームの周期を設定するようになっており、例えば1回アラーム鳴、毎日アラーム鳴、毎週アラーム鳴、毎月アラーム鳴などに設定してユーザーの便宜に合わせて周期的にアラームを鳴らすようにアラーム設定を行うことができる。
【０００３】
図１は移動通信端末機において従来の方法でアラームを設定する一例を示す例図である。
図１において、（ａ）はアラーム設定のために時間と周期を設定するためのメニューを示す画面例、（ｂ）は時間設定のための画面例、（ｃ）は設定されたアラーム情報を表示する画面例であり、ユーザーは、アラームが設定されると、設定されたアラームにアラーム名（題目）を入力して表わすことができる。ここで、図１に示すアラーム設定のための画面は移動通信端末機によって異なり、アラームは一つ以上設定することもできる。また、図１の（ａ）において、ユーザーがアラームの周期設定時に「毎週周期」と「毎月周期」を選択した場合には、それぞれ毎週曜日と毎月日付を指定し得る画面を提供し、ユーザーから所望の曜日または日付に関する入力を受け、定められた周期毎に設定時間にアラームを鳴らすようにすることができる。
【０００４】
一方、殆どの人々は、１週間を周期として規則的な生活をしているため、平日と週末の生活パターンが異なる。例えば、学生や社会人等は、平日（授業や仕事のある曜日）には朝早く起きて学校または職場に行くが、週末には足りない睡眠を補充するために朝寝坊する場合が多い。また、この頃は隔週で土曜日を休みにする職場も多い。
【０００５】
このため、学生や社会人が朝出勤時間に遅れないように起きるために、図１に示す従来の方式通りに時間と周期を定めてアラームを設定しておけば、朝早く起きなくても良い週末または隔週土曜日のような場合にもアラームが鳴るので、途中で起きてアラームを終了させなければならないという不便さがある。
【０００６】
また、このような不便を解消するために週末にはアラームを解除するとしても、平日になると、毎回アラームを再び設定しなければならないので、平日と週末にアラームの設定／解除を毎回繰り返さなければならないという煩わしさがある。しかも、移動通信端末機に曜日毎にアラームを多数個設定することができるとしても、曜日別に一つ一つ時間設定を行わなければならないという煩わしさがある。
【０００７】
このように、目覚まし時計等と異なり常に携帯する移動通信端末機（例えば、携帯電話）は、複数のアラームを用いて時間管理することに適しているものの、従来の移動通信端末機では設定と解除の繰り返しが煩雑で、多数のアラームを使用したり、または、例えば起床時間をそれぞれの日の内容に応じて変化させて使用したりすることが難しかった。
【０００８】
【発明が解決しようとする課題】
本発明は、かかる問題点を勘案して創案されたもので、その目的は、移動通信端末機に設定されたアラームをユーザーの便宜に応じて一日だけ或いは周期的に解除するか、或いは所望の日付を指定し、指定した日付にだけ解除することが可能な移動通信端末機のアラーム一時解除方法を提供することを目的とする。
また、本発明の他の目的は、移動通信端末機に設定されたアラームを一時的に解除することが可能なボタンを設け、ユーザーのボタン操作によって、予め一時解除の許可されたアラームを一時的に解除することが可能な移動通信端末機のアラーム一時解除方法を提供することにある。
また、本発明のさらに他の目的は、移動通信端末機で設定されたアラームを一時的に解除することが可能なボタンを設け、ユーザーのボタン操作によって、設定されたアラームのうち所望のアラームを一時的に解除することが可能な移動通信端末機のアラーム一時解除方法を提供することにある。
このように、本発明は、日々の多様な変化や、細かな日程に応じて、簡単で単純な操作で、且つユーザーのアラームの使用の程度に応じてアラームを活用することができる移動通信端末機を提供することを、その目的とする。
【０００９】
【課題を解決するための手段】
上記目的を達成するための本発明は、ユーザーによって周期的又は特定日時のアラームが設定され、当該ユーザーによって携帯される移動通信端末機の受信待機モード状態でユーザーによって一時解除メニューが呼び出されたか否かを判断する第１工程と、一時解除メニューが呼び出されたときに、予め設定された周期的又は特定日時のアラームの全部又は一部を別の解除の周期又は解除の特定日で一時解除するための一時解除メニュー項目の一覧を表示する第２工程と、前記ユーザーが一時解除メニュー項目の一つ又は複数を選択したときに、アラームの設定とは別の設定として、当該選択されたメニュー項目に指定された日付のアラームを周期的又は特定日で一時解除する第３工程とを備える。そして、この第３工程は、前記アラームのうち、当該メニュー項目に指定された解除の特定日又は解除の周期の日付のアラームのみを一時的に解除することで、当該日付のみアラームを解除し、他の日付はアラームを解除しないものである。
また、本発明は、ユーザーによって周期的又は特定日時のアラームが設定され、当該ユーザーによって携帯される移動通信端末機の受信待機モード状態でユーザーによって一時解除ボタンが押されたか否かを判断する第１工程と、ユーザーによって一時解除ボタンが押されると、予め設定された全てのアラームの内、前記ユーザーによって予め一時解除が許可されたアラームのみを一括して即時に一時解除する第２工程とを含む。
【００１０】
【発明の実施の形態】
以下、本発明による移動通信端末機の実施形態について説明する。
図２は本実施形態による予め設定されたアラームを一時解除するための移動通信端末機の構成図である。
【００１１】
図２の移動通信端末機は、ユーザーが移動通信端末機の所定のアラームを一時解除するユーザーの命令を入力するためのキーパッド１０と、ユーザーの操作に基づいて、移動通信端末機に記憶された所定のアラームを一時解除する制御部２０と、制御部２０の制御に基づいて、一時解除メニュー項目または所定のアラーム情報を表示するための表示部３０とを備える。
【００１２】
キーパッド１０は、メニュー項目を検索するための方向キーボタンと、電話番号等の数字や文字を入力するための数字ボタンとを備える。キーパッド１０はさらに、一時解除メニュー項目を見るための一時解除メニューボタンと所定のアラームを一時解除するための一時解除ボタンのいずれか一方を備えてもよく、一時解除メニューボタンと一時解除ボタンの両方ともを備えてもよい。また、同一のボタンを使用して、長時間の押し下げの場合には一時解除ボタンとして機能させ、短時間の押し下げられた場合に一時解除メニューを表示させる一時解除メニューボタンとして機能させるようにしてもよい。
【００１３】
制御部２０は、移動体通信端末機の無線通信を制御する。また、制御部２０は、キーパッド１０を用いた文字入力や、各種の操作に応じた数字や文字の表示を制御する。本実施形態では、制御部２０は、アラームの設定及び解除を制御する。ユーザーの一時解除メニューボタン操作によって一時解除メニュー項目をディスプレイさせ、ユーザーの一時解除メニュー項目選択による一時解除日程に基づいて所定のアラームを一時解除する。また、制御部２０はユーザーの一時解除ボタン操作によって所定のアラーム情報を表示し、ユーザーの選択によって選ばれたアラームを一時解除する。さらに、制御部２０は、ユーザーの一時解除ボタン操作によって、一時解除の許可（許容）された所定のアラームを解除する。ここで、アラームの一時解除が許可されたか否かはアラーム設定の際にユーザーが一時解除許可を入力したか否かによって決定される。
【００１４】
表示部３０は、制御部２０の制御に基づいて、一時解除メニュー項目または一時解除の許可された所定のアラーム情報を表示すると共に、ユーザーが所定のアラームを一時解除した際に所定のアラームが一時解除されたことを知らせるメッセージを表示する。
【００１５】
次に、図３及び図５に基づいて本発明の好適な第１実施例を詳細に説明する。図３は第１実施例による移動通信端末機のアラーム一時解除メニューによって一時解除する方法等を説明するためのフローチャート、図５は本実施例による一時解除メニューによってアラームを一時解除する過程の例示図である。
【００１６】
移動通信端末機のアラームを一時解除する方法は、一時解除メニューを用いて所定のアラームを一時解除する予約解除方法（第１実施例）と、一時解除ボタンによって所定のアラームを一時解除する即時解除方法（第２実施例）とがある。これは移動通信端末機の製造時に製造社の必要に応じて変更設定が可能であるが、まず、移動通信端末機で設定されたアラームを一時解除メニューによって解除する方法について説明する。
【００１７】
本発明に係る第１実施例は、一時解除メニューを用いて所定のアラームを一時解除する方法を説明する実施例である。
本発明に係る第１実施例によれば、まず、図３に示すように、移動通信端末機の受信待機モード状態（Ｓ１０１）で、制御部２０はユーザーによって一時解除メニューが呼び出されたか否かを判断する（Ｓ１０２）。ここで、一時解除メニューは移動通信端末機のキーパッド１０に設けた一時解除メニューボタンの操作に応じて表示してもよく、また、キーパッド１０の既存のキーの操作によって段階的に探すこともできる。図３に示す例では、一時解除メニューボタンを使用している。
【００１８】
ユーザーによって一時解除メニューボタンが押されると、制御部２０は所定の一時解除メニュー項目を表示部３０に表示する（Ｓ１０３）。この際、一時解除メニュー項目は、まず図５（ａ）に示すように、一時解除を設定するか否かを尋ねる画面を提供し、ユーザーが一時解除したければ、「はい」にカーソルを合わせて確認ボタンを押せばよい。すると、メニュー項目が表示される。一時解除メニュー項目は、その一覧として、図５（ｂ）に示す例では、「日曜日解除」、「１、３週週末解除」、「２、４週週末解除」、「日付指定解除」、「一日解除」がある。その後、ユーザーは表示部３０にディスプレイされたメニュー項目から所望のメニューを選択する（Ｓ１０４）。
【００１９】
ユーザーがもし一時解除メニューから「日曜日解除」を選択したならば、日曜日にのみアラームを一時解除し（Ｓ１０５）、ユーザーがもし一時解除メニューから「１、３週週末解除」を選択したならば、「１、３週の土曜日及び毎週日曜日にのみアラームを一時解除し（Ｓ１０６）、ユーザーがもし一時解除メニューから「２、４週週末解除」を選択したならば、２、４週の土曜日及び毎週日曜日にのみアラームを一時解除する（Ｓ１０７）。ユーザーがもし一時解除メニューから「日付指定解除」を選択したならば、図５（ｃ）に示すように、ユーザーによるアラームを一時解除する日付の指定を受信し（Ｓ１０８）、ユーザーが指定した日付にだけ所定のアラームを一時解除する（Ｓ１０９）。また、ユーザーがもし一時解除メニューから「一日解除」を選択したならば、「一日解除」を選択した時点から２４時間アラームを一時解除する（Ｓ１１０）。
【００２０】
ここで、工程Ｓ１０４において、表示部３０に表示された一時解除メニュー項目をユーザーが選択すると、工程Ｓ１０５〜Ｓ１１０の如く所定の全てのアラームが一時解除されるが、工程Ｓ１０５〜Ｓ１１０以後に、予め設定されたアラームリストを表示部３０に表示する工程と、表示部３０にディスプレイされたアラームリストから、ユーザーが一時解除するアラームを選択する工程とをさらに含むことができる。すると、ユーザーがアラームリストから選択したアラームだけ一時的に解除される。起床時間のみなど、アラームが１つのみ設定されている場合には、解除するアラームの選択工程を不要としてもよい。一時解除するアラームを選択する工程では、例えば日付指定解除の場合、毎日周期で設定しているアラームや、解除指定される日付の曜日のアラームや、その日付のアラームなど、解除の対象となるアラームのみを抽出して解除するアラームの選択を促すようにしてもよい。
【００２１】
また、図３に示していないが、ユーザーがアラームの設定時またはその後にアラーム設定メニューによってアラーム毎に一時解除可否を決定しておく場合には、工程Ｓ１０５からＳ１１０でユーザーが表示部３０に表示された一時解除メニュー項目を選択したときに、アラーム解除の際に一時解除の許可されたアラームだけが一時解除される。この際、制御部２０は、ユーザーが一時解除許可設定メニューを選択すると、表示部３０にアラームの一時解除可否を選択するためのメニューを表示し、ユーザーの選択に関する入力を受けて該当アラーム情報と共に所定のメモリーに記憶し、ユーザーの操作に基づいて一時解除させる。
【００２２】
次に、図４、図６乃至図８を参照して本発明の好適な第２実施例を詳細に説明する。
本発明の第２実施例は移動通信端末機で設定されたアラームを一時解除ボタンによって解除する方法を説明するための実施例である。
本発明に係る第２実施例によれば、図４に示すように、移動通信端末機の受信待機モード状態（Ｓ２０１）で、制御部２０はユーザーによる一時解除ボタンが押されたか否かを判断する（Ｓ２０２）。ここで、一時解除ボタンはキーパッド１０に別途に設けてもよく、既存のキーパッド１０に設けられたボタンを長く押して動作させてもよい。また、一時解除ボタンは、所定のアラームを解除した後、さらに復帰させるときにも使用される。
【００２３】
ユーザーによって一時解除ボタンが押されると、制御部２０の動作は移動通信端末機に設定された一時解除設定状態によって異なる（Ｓ２０３）。
移動通信端末機の一時解除設定が、一時解除ボタンが押されると、所定の全てのアラームを解除するようになっている場合、制御部２０は一時解除ボタンの押下を感知し、図６（ａ）に示すように所定のアラームを全て解除すると同時に全てのアラームが解除されたことを知らせるメッセージを表示する（Ｓ２０４）。その後、一時解除された所定のアラームをさらに復帰させたければ、即ち一時解除された状態を取り消したければ、キーパッド１０の一時解除ボタンをさらに押すと、全てのアラームの一時解除された状態が取り消される（図６（ｂ））。
【００２４】
また、移動通信端末機の一時解除設定が、一時解除ボタンが押されると、所定のアームのうち一時解除許可アラームだけが解除されるようになっている場合、制御部２０は一時解除ボタンの押下を感知し、図７（ａ）に示すように所定のアラームのうち、一時解除の許可されたアラームだけを解除し、且つ一時解除の許可されたアラームが解除されたことを知らせるメッセージを表示する（Ｓ２０５）。後で一時解除されたアラームをさらに復帰させたければ、キーパッド１０の一時解除ボタンをさらに押す（図７（ｂ））。ここで、所定のアラームは一つ以上であることもあり、アラームの一時解除可否はユーザーによって設定される。アラームの一時解除可否は、アラームの設定時またはその後でアラーム設定メニューによってユーザーが一時解除許可設定メニューを選択することにより決定される。制御部２０は、ユーザーが一時解除許可設定メニューを選択すると、表示部３０にアラームの一時解除可否を選択するためのメニューを表示し、ユーザーの選択に関する入力を受ける。
【００２５】
また、移動通信端末機の一時解除設定が、一時解除ボタンが押されると、所定のアラームのうちユーザーによって選択的に解除されるようになっている場合、制御部２０は一時解除ボタンの押下を感知すると、図８（ａ）に示すように所定のアラームのうち一時解除されていないアラームリストをディスプレイし（Ｓ２０６）、ユーザーはディスプレイされたアラームリストから一時解除するアラームを選択する（Ｓ２０７）。すると、図８（ｂ）に示すように、選択されたアラームを一時解除するとともに、選択されたアラームが一時解除されたことを知らせるメッセージを表示する（Ｓ２０８）。
【００２６】
後で、一時解除されたアラームをさらに復帰させたければ、キーパッド１０の一時解除ボタンを押す。すると、制御部２０は、図８（ｃ）に示すように、一時解除されたアラームリストを表示部３０に表示し、ユーザーがアラームの一時解除状態を復帰させるアラームを選択すると、選択したアラームの一時解除状態を復帰させると共に、選択したアラームの一時解除状態が復帰されたことを知らせるメッセージを表示する（図８（ｄ））。勿論、一時解除状態を復帰させるアラームを選択する場合にも、工程Ｓ２０７での如く重複選択が可能である。
【００２７】
次に、第１実施例及び第２実施例のアラーム一時解除方法を実現する移動体通信端末機の構成例を図９から図１１を参照して説明する。
【００２８】
図９に示す例では、移動通信端末機の制御部２０は、アラームの設定及び解除を制御するアラーム制御部２１と、メモリー２２とを備えている。アラーム制御部２１は、ユーザーによる毎日等の周期的な又は特定日のアラームの設定を支援するアラーム設定手段２３と、アラームの設定時に、前記キーパッドを使用したアラームの一括解除操作がなされる場合に当該設定するアラームの一括解除を許可するか否かを設定する一括解除可否設定手段２４とを備えている。
【００２９】
アラーム制御部２１はさらに、周期的又は特定日に設定されたアラームの一時解除を制御する一時解除コントローラー２５を備えている。一時解除コントローラーは、予め設定されたアラームをキーパッド１０の操作に応じて一時的に解除する。一時的な解除であるため、アラームの設定（周期や時間等）は削除されず、一時解除の状態が完了すると、簡単な操作でアラームを復帰させることができる。
【００３０】
一時解除コントローラー２５は、周期的に設定されたアラームについて、ユーザーの操作に応じて一時解除メニューが呼び出された場合に、毎週末等の周期的な又は単一の特定の日のみのアラーム出力の解除を設定するための一時解除メニュー項目の一覧（図５（ｂ））を表示部３０に表示する一時解除メニュー項目表示制御手段２５Ａと、ユーザーによって選択される一時解除メニュー項目に基づいて、アラームの一時解除を制御すると共に、一時解除の対象となるアラームの選択を制御するメニュー項目別一時解除手段２５Ｂとを備えている。手段２５Ａ及び２５Ｂは、第一実施例での一時解除メニュー項目を用いたアラーム解除を制御する。手段２５Ａは図３の工程Ｓ１０２及びＳ１０３を処理し、手段２５Ｂは工程Ｓ１０４以降を処理する。手段２５Ｂは、一時解除の対象となるアラームの選択を制御する。この制御は、全アラームとしても良いし、個別のアラームとしても良い。また、予め一時解除が許可されたアラームのみとしても良い。
【００３１】
全アラームの解除は、休日での旅行や、出張の日付が予め判明していて、その日について全アラームを解除する時に役立つ。個別のアラーム解除は、起床時間のみを日曜日に解除する場合や、毎週の研修時間を知らせるアラームをある日にちのみ解除する場合に役立つ。この一時解除メニューを用いたアラームの一時解除は、予定が定まっており、事前に解除を設定するものである。当初のアラーム設定時に、一時解除の日付を設定する方が処理内容としては簡易であるが、ユーザーの使い心地としては、アラームを設定しようとする日時と、その後の予定が入りアラームを解除しようとする日時とは異なることが多く、アラームの設定は設定で行い、一時解除は新たな予定等に応じて解除する仕組みの方が良い。
【００３２】
一時解除コントローラー２５は、さらに、ユーザーの操作に応じて前記キーパッドを使用した一括解除操作（例えば、一時解除ボタン押し下げ）の解除内容を設定する一時解除設定手段２５Ｃと、一時解除ボタンが押し下げられた時に、一時解除設定が解除許可アラーム解除であるときには一括解除可否設定手段２４によって一括解除が許可されたアラームを一括して即時に一時解除する解除許可アラーム一時解除手段２５Ｄと、一時解除ボタンが押し下げられた時に一時解除設定が全アラーム解除であるときには設定された全アラームを一括して即時に一時解除する全アラーム一時解除手段２５Ｅとを備えている。手段２５Ｃ，２５Ｄ，２５Ｅは第２実施例での即時の、一括したアラームの一時解除処理を行う。
【００３３】
一時解除コントローラーは、さらに、一時解除設定が選択解除である場合に、一時解除するアラームを選択させると共に、選択されたアラームを解除する選択アラーム一時解除手段２５Ｆを備えるようにしても良い。一時解除設定手段２５Ｃは、事前の登録を促すようにしても良いし、一時解除ボタンが押し下げられたときに「解除許可アラーム解除」「全アラーム解除」「選択アラーム解除」をメニュー項目として表示して、設定を促すようにしても良い。また、一時解除設定手段２５Ｃは、当初は出荷時の初期設定を利用し、ユーザーがアラーム機能を使いこなすに従って設定が可能であることが判明していくようにしても良い。すると、起床時間にのみアラームを使用するユーザーから、ＰＩＭ（Personal Information Manager）的に簡易なスケジュール管理的にアラームを使用するユーザーまで、それぞれが使いやすい仕組みとすることができる。
【００３４】
一時解除ボタン等によるアラームの解除は、即時の解除である。設定したアラームが不適切な場合に鳴ってしまった時、とにかくアラームを解除したいとする場合に役立つ。また、出張など通常の日と異なる日の前日やその当日朝の操作に役立つ。一時解除設定は、メーカー出荷時の初期設定としては全アラーム解除としておくと、一時解除ボタンを押し下げるのみで設定した全てのアラームを一時的に解除できるため、操作性が良い。慣れてきたユーザーであれば、解除許可アラームの設定をするため、一時解除設定手段２５Ｃは、この解除許可アラームが設定された場合には、一時解除設定を解除許可アラーム解除へ自動的に変更しても良い。例えば、出張時に解除すべきアラームを解除許可アラームとして設定する例では、出張の時に一時解除ボタンを押し下すだけで、出張時には不要となるアラームを一括して解除することができる。解除許可アラームを活用し始めたユーザーは、より多くのアラームを設定し、日常生活できめ細かいスケジュール管理を行えるようになる。ユーザーは、アラームの解除操作が簡単であると、多数のアラームを活用しようとする。多数のアラームを設定する高度なユーザーには、選択アラーム解除が役立つ。選択アラーム解除を用いると、アラームをスケジュール管理（ＰＩＭ）のために使用しやすくなる。また、休日の旅行のときや、結婚式への出席などでは全アラーム解除を使用し、旅行から帰り、通常の日々に復帰する場合には、一時解除ボタンを押すだけで、全アラームを復帰させることができる。このように、一時解除設定を用いることで、多様なユーザーのアラーム利用を簡易な操作で促すことができる。
【００３５】
図９に示す例では、アラーム制御部２１は、一括解除操作があったときに、すでに一部の又は全部のアラームが一括解除操作に応じて一時解除されていた場合には、当該一括解除操作に応じて一時解除されていたアラームを復帰させるアラーム一括復帰制御手段２８を備えている。アラーム一括復帰制御手段２８は、アラーム解除ボタンの操作によって一括して解除されたアラームを、一斉に復帰させるものである。図８（ｄ）に示すように、手段２８は選択的にアラームが解除された場合、選択的にアラームを復帰させるようにしても良い。アラームの選択には、アラーム名（題目）を用いる。アラーム名を用いることで、目覚まし時計とは異なり、スケジュール管理的な使用感を得ることができる。
【００３６】
図９に示す例では、移動体通信端末機は、アラーム手段４０を備えている。アラーム手段は、アラーム毎に予め定められたメロディーを予め定められた音量で出力し、また、ユーザーの設定によっては移動体通信端末機を物理的に振動させ、アラーム時刻の到来をユーザーに知らせる。また、図９に示す例では、アラームの設定情報をアラーム管理テーブル２２Ａで管理する。
【００３７】
図１０はアラーム出力の処理例を示すフローチャートであり、図１１は設定されたアラーム管理テーブルの一例を示す。アラームの設定情報は、実際には各種の状態をコード化したコード等の組み合わせ等で記憶するが、図１１に示す例では、理解を容易にするために一般的な図表の表現としている。
【００３８】
アラームを分単位で設定する場合、毎分の０秒等にアラームを出力するか否かを判断する（Ｓ３０１）。予め設定された複数のアラームのうち、アラーム時刻に該当するものがあれば（Ｓ３０２）、アラーム日に該当するか否かを判断する（Ｓ３０３）。アラーム時刻とアラーム日が特定されると、アラーム名（又は、アラームＩＤ）を特定できる（Ｓ３０４）。続いて、このアラームが一時解除されたアラームであるか否かを判定する（Ｓ３０５）。一時解除メニューによる予約的な解除か、または、一時解除ボタンによる即時の解除がある場合には、アラーム出力を行わない。一方、一時解除されたアラームではない場合、そのアラームに設定されたメロディーや振動等のアラームを出力する（Ｓ３０６）。アラームの出力中に一時解除ボタンが押し下げられた場合には、アラーム出力を直ちに中止するようにしてもよい。
【００３９】
図１１に示す例では、社会人であるユーザーＡは起床時間、昼食時間及び家族への連絡時間を毎日の周期で設定している。そして、Ａ会議への出席を日付指定のアラームとして設定している。Ａ会議の予定が定まったときに、Ａ会議は昼食付きで開催されるため、通常の昼食時間のアラームを一時解除メニューの日付指定解除で解除した。これでＡ会議中にアラームされることがなくなる。Ｂ研修は、毎週金曜日の夕方に開催されるため、研修出席の準備開始時刻として１７：００の設定をしている。ユーザーＡは、不定期に出張があり、出張時には起床時間も昼食時間も異なるため、一時解除可否の機能を出張時に使用している。
【００４０】
ユーザーＡは、顧客会社への出張時に、従来、緊迫した会議中に昼食時間のアラームが鳴ってしまい、恥ずかしい思いをした。会議中に全てのアラームを解除しようとしたが、操作が煩雑で、時間がかかり、普段愛用している移動体通信端末機が憎たらしくなってしまった経験がある。ユーザーＡは、本発明による移動体通信端末機のアラーム一時解除の機能を出張時に利用することとして、起床時間、昼食時間及びＢ研修のアラームを「一時解除許可」とした。そして、出張の前の夜や、当日朝に、一時解除ボタンを押し下げるだけで、不要となるアラームが一括して一時解除されるため、ユーザーＡはアラームを便利に使用している。平日毎日の家族への電話時間のアラームは、悩んだ末、一時解除しないこととし、出張時の夜の会食等で小さくアラームを鳴らせることで、家族への電話をしやすい雰囲気を作り出した。不定期に他の営業店へ赴く場合や、別の場所の教室に行く場合など、朝何時に起きるのかを毎回考えなければならないが、ユーザーＡは、出張時の起床時刻を登録している。このように、本発明では、平日と週末の関係を一時解除メニューで設定し、平日での出張との関係を一時解除ボタンで設定することができる。ユーザーＡは、休日の旅行や、スポーツ観戦時や、急に不適切なアラームを受けた場合などでは、一時解除ボタンで、「全アラーム解除」とすることができる。
このように、本発明によると、平日と週末や、通常業務日と出張日等の関係でアラームの解除操作が自然で、予定の定まる順序に応じた操作が可能で、且つ、不適切なアラームとなった場合にも直ちに解除することができる。従って、従来よりも多くのアラームを日々のスケジュールや月単位のスケジュールに応じて使用しやすくなる。さらに、起床時間のみの使用から、アラーム解除の機能に慣れるに従って多数のアラームを簡単に管理できるようになるため、ユーザーの慣れに応じてより高度な機能を提供することができる。すなわち、本発明では、解除操作の容易さを確立することで、アラームの活用範囲を広げ、これにより、ユーザーのアラーム利用状況に応じて利便性の高い移動体通信端末機を提供するものである。
【００４１】
再度図９を参照すると、移動体通信端末機は、基地局との無線通信を制御する無線通信部１を備えている。無線通信部１は、通常の音声通話を制御するほか、各種プログラムデータのダウンロードを制御する。図９に示した構成や、図３，４及び１０に示すフローチャートによる処理は、アラーム設定解除制御用プログラムを移動体通信端末機のＣＰＵ等の回路で実行することで実現できる。
【００４２】
アラーム設定解除制御用プログラムは、前記制御部を動作させる各種の指令を備える。このプログラムが、図９に示す各手段や、図３及び４等に示す各工程に対応する指令を備えることで、基地局等からダウンロードしたアラーム設定解除制御用プログラムに基づいて、移動体通信端末機に図９等に示す機能を実装することができる。
【００４３】
このプログラムは、例えば、下記の指令を備える。
ユーザーによる毎日等の周期的な又は特定日のアラームの設定を支援するためのアラーム設定指令（手段２３に対応）。
アラームの設定時に、前記キーパッドを使用したアラームの一括解除操作がなされる場合に当該設定するアラームの一括解除を許可するか否かを設定させる一括解除可否設定指令（手段２４に対応）。
前記周期的に設定されたアラームについて、前記ユーザーの操作に応じて一時解除メニューが呼び出された場合に、毎週末等の周期的な又は単一の特定の日のみのアラーム出力の解除を設定するための一時解除メニュー項目の一覧を前記表示部に表示させる一時解除メニュー項目表示制御指令（手段２５Ａ，工程Ｓ１０２，１０３に対応）。
ユーザーによって選択される一時解除メニュー項目に基づいて、アラームの一時解除を制御すると共に、一時解除の対象となるアラームの選択を制御させるメニュー項目別一時解除指令（手段２５Ｂ，工程Ｓ１０４からＳ１１０等に対応）。
ユーザーの操作に応じてキーパッド１０を使用した一括解除操作（例えば、一時解除ボタン押し下げ）の解除内容を設定させる一時解除設定指令（手段２５Ｃに対応）。
一時解除ボタンが押し下げられた時に、一時解除設定が解除許可アラーム解除であるときには、一括解除可否設定指令に応じて一括解除が許可されたアラームを一括して即時に一時解除させる解除許可アラーム一括解除指令（手段２５Ｄ，工程Ｓ２０５に対応）。
一時解除ボタンが押し下げられた時に、一時解除設定が全アラーム解除であるときには、設定された全アラームを一括して即時に一時解除させる全アラーム一時解除指令（手段２５Ｅ，工程Ｓ２０４に対応）と、
一括解除操作があったときに、すでに一部の又は全部のアラームが一括解除操作に応じて一時解除されていた場合には、当該一括解除操作に応じて一時解除されていたアラームを復帰させるアラーム一括復帰制御指令（手段２８）。
【００４４】
移動体通信端末機は、これらの指令を実行することで、図９等に示す各手段を実現し、図３，図４等に示す処理を実行する。
【００４５】
以上、本発明を実施例によって説明したが、本発明はこれらの実施例に限定されるものではない。本発明の属する技術分野で通常の知識を有する者であれば、本発明の思想から外れない範囲で様々な修正及び変更を加えることが可能なことを理解するであろう。
【００４６】
【発明の効果】
以上説明したように、本発明によれば、移動通信端末機に設定されたアラームをユーザーの便宜に合わせて一日だけ或いは周期的に解除するか、或いは所望の日付を指定し、指定した日付にだけ解除することができるため、規則的に生活する学生や社会人などが周期的な生活パターンの変化に応じてアラームの設定と解除を繰り返さなければならない煩わしさを無くすことができるという効果がある。また、本発明は、移動通信端末機に設定されたアラームを一時的に解除することが可能なボタンを設け、ユーザーのボタン操作によって、予め一時解除の許可されたアラームを一時的に解除することができるため、一時解除するアラームを予め予想して設定しておき、必要に応じて所望のアラームだけを一時解除することができるという効果がある。
さらに、本発明は、移動通信端末機に設定されたアラームを一時的に解除することが可能なボタンを設け、ユーザーのボタン操作によって、設定されたアラームのうち所望のアラームを一時的に解除することができるため、必要に応じて所望のアラームだけを解除することができるという効果がある。
【図面の簡単な説明】
【図１】図１（ａ），（ｂ）及び（ｃ）は移動通信端末機において従来の方法によってアラームを設定する一例を示す例示図である。
【図２】図２は、本発明に係る、予め設定されたアラームを一時解除する方法が適用される移動通信端末機の構成図である。
【図３】図３は、第１実施例による移動通信端末機のアラーム一時解除メニューによって一時解除する方法を説明するためのフローチャートである。
【図４】図４は、第２実施例による移動通信端末機のアラーム一時解除ボタンによって一時解除する方法を説明するためのフローチャートである。
【図５】図５（ａ），（ｂ）及び（ｃ）は本発明に係る一時解除メニューによってアラームを一時解除する過程の例示図である。
【図６】図６（ａ），（ｂ）は、一時解除ボタンによって所定の全てのアラームを解除するように設定されている場合の一時解除する過程の例示図である。
【図７】図７（ａ），（ｂ）は、一時解除ボタンによって所定のアラームのうち一時解除許可アラームだけを解除するように設定されている場合の一時解除する過程の例示図である。
【図８】図８（ａ），（ｂ），（ｃ），（ｄ）は、一時解除ボタンによって所定のアラームのうちユーザーによって選択的に解除するように設定されている場合の一時解除する過程の例示図である。
【図９】図９は本発明の第１及び第２実施例による移動体通信端末機のアラーム設定及び解除の制御に関する構成例を示すブロック図である。
【図１０】図１０はアラーム出力処理の一例を示すフローチャートである。
【図１１】図１１は本発明の効果の一例を説明するためのアラーム設定の一例を示す図表である。
【符号の説明】
１  無線通信部
１０  キーパッド
２０  制御部
２１  アラーム制御部
２２  メモリー
２３  アラーム設定手段
２４  一括解除可否設定手段
２５  一時解除コントローラー
２５Ａ  一時解除メニュー項目表示制御手段
２５Ｂ  メニュー項目別一時解除手段
２５Ｃ  一時解除設定手段
２５Ｄ  解除許可アラーム一時解除手段
２５Ｅ  全アラーム一時解除手段
２５Ｆ  選択アラーム一時解除手段
２８  アラーム一括復帰制御手段
【図１】
0003684373.tif 000002
【図２】
0003684373.tif 000003
【図３】
0003684373.tif 000004
【図４】
0003684373.tif 000005
【図５】
0003684373.tif 000006
【図６】
0003684373.tif 000007
【図７】
0003684373.tif 000008
【図８】
0003684373.tif 000009
【図９】
0003684373.tif 000010
【図１０】
0003684373.tif 000011
【図１１】
0003684373.tif 000012